(57)【特許請求の範囲】
【請求項１】
液状の検体を流通させる第一流路と、この第一流路から分岐して形成された、前記第一流路を流通する検体から特定の成分を分離することが可能な幅を有する当該第一流路に連通する第二流路と、当該第二流路に接続された、前記検体から分離された特定の成分が充填される測定部とを内部に有する板状体よりなり、
前記測定部を形成する空間の少なくとも一部が、一方向に向かうに従って徐々に隙間が小さくなるくさび状空間により形成されており、
前記一方向をｘ方向とするｘｙｚ直交座標を想定したとき、
前記くさび状空間は、ｙ方向からの平面視にて表わされるｚ方向において互いに対向する一対のくさび状空間形成面がくさび状をなす部分を有し、
前記測定部は、前記くさび状空間に連続する、ｙｚ断面の断面形状が矩形状とされた定容積空間を有しており、
当該定容積空間のｙｚ断面において表わされる連続する２つの定容積空間形成面がなす角をγ、前記くさび状空間のｙ方向からの平面視にて表わされる前記一対のくさび状空間形成面がなす角をαとしたとき、前記くさび状空間は、α＜γの関係を満足する空間形状を有することを特徴とするマイクロ流路チップ。
【請求項２】
前記くさび状空間は、ｚ方向からの平面視にて表わされるｙ方向において互いに対向する一対のくさび状空間形成面がくさび状をなす部分を有することを特徴とする請求項１に記載のマイクロ流路チップ。
【請求項３】
前記くさび状空間のｚ方向からの平面視にて表わされる前記一対のくさび状空間形成面がなす角をβとしたとき、前記くさび状空間は、β＜γの関係を満足する空間形状を有することを特徴とする請求項２に記載のマイクロ流路チップ。
【請求項４】
前記くさび状空間は、ｙ方向の寸法またはｚ方向の寸法が一定の大きさとされた測定用領域を有することを特徴とする請求項１乃至請求項３のいずれかに記載のマイクロ流路チップ。
【請求項５】
請求項４に記載のマイクロ流路チップと、
このマイクロ流路チップにおける前記測定用領域に光を照射する光源と、
前記マイクロ流路チップにおける測定領域を含む領域の画像を撮像する撮像手段と、
この撮像手段によって取得された画像データに基づいて前記特定の成分の濃度を算出する機能を有する制御機構と
を備えてなることを特徴とする検体濃度測定装置。
【発明の詳細な説明】
【技術分野】
【０００１】
本発明は、マイクロ流路チップおよび当該マイクロ流路チップを用いた検体濃度測定装置に関する。更に詳しくは、血液などの検体から血漿成分などの特定の成分を分離することが可能なマイクロ流路チップおよび分離された特定の成分の濃度を測定する検体濃度測定装置に関する。
【背景技術】
【０００２】
医療分野においては、検体（例えば血液）から微小サイズの成分（例えば血漿成分）を抽出し、得られた抽出成分または当該抽出成分に含まれる検査対象物の濃度を測定することが行われている。
従来、血液から血漿成分を抽出する方法としては、毛細管内に封入した血液を、遠心分離処理することにより、血液中の血漿成分と血球成分とを分離する方法が知られている（例えば特許文献１参照。）。
【先行技術文献】
【特許文献】
【０００３】
【特許文献１】特開平６−４３１５８号公報
【発明の概要】
【発明が解決しようとする課題】
【０００４】
しかしながら、血液から血漿を抽出するために遠心分離を利用する場合には、比較的多量の血液が必要とされ、また、遠心分離機を使用するため、大型の装置を構成することが必要となる、という問題がある。このため、遠心分離を利用せずに、微量の血液から血漿成分を分離することができる手段が望まれている。
【０００５】
そこで、本発明の目的は、外部から遠心力などの運動学的作用を加えることなしに、微量の検体から特定の成分を分離することができると共に、必要量の特定成分が測定部に充填された状態を短時間で得ることのできるマイクロ流路チップを提供することにある。
本発明の他の目的は、上記のマイクロ流路チップを用いて検体における特定の成分の濃度を効率よく測定することのできる検体濃度測定装置を提供することにある。
【課題を解決するための手段】
【０００６】
本発明のマイクロ流路チップは、液状の検体を流通させる第一流路と、この第一流路から分岐して形成された、前記第一流路を流通する検体から特定の成分を分離することが可能な幅を有する当該第一流路に連通する第二流路と、当該第二流路に接続された、前記検体から分離された特定の成分が充填される測定部とを内部に有する板状体よりなり、
前記測定部を形成する空間の少なくとも一部が、一方向に向かうに従って徐々に隙間が小さくなるくさび状空間により形成されており、
前記一方向をｘ方向とするｘｙｚ直交座標を想定したとき、
前記くさび状空間は、ｙ方向からの平面視にて表わされるｚ方向において互いに対向する一対のくさび状空間形成面がくさび状をなす部分を有し、
前記測定部は、前記くさび状空間に連続する、ｙｚ断面の断面形状が矩形状とされた定容積空間を有しており、
当該定容積空間のｙｚ断面において表わされる連続する２つの定容積空間形成面がなす角をγ、前記くさび状空間のｙ方向からの平面視にて表わされる前記一対のくさび状空間形成面がなす角をαとしたとき、前記くさび状空間は、α＜γの関係を満足する空間形状を有することを特徴とする。
【０００８】
また、本発明のマイクロ流路チップにおいては、前記くさび状空間は、ｚ方向からの平面視にて表わされるｙ方向において互いに対向する一対のくさび状空間形成面がくさび状をなす部分を有する構成とすることができる。
このような構成のものにおいては、前記くさび状空間のｚ方向からの平面視にて表わされる前記一対のくさび状空間形成面がなす角をβとしたとき、前記くさび状空間は、β＜γの関係を満足する空間形状を有することが好ましい。
【０００９】
さらにまた、本発明のマイクロ流路チップにおいては、前記くさび状空間は、ｙ方向の寸法またはｚ方向の寸法が一定の大きさとされた測定用領域を有することが好ましい。
【００１０】
本発明の検体濃度測定装置は、上記のくさび状空間がｙ方向またはｚ方向の幅が一定の大きさとされた測定用領域を有するマイクロ流路チップと、
このマイクロ流路チップにおける前記測定用領域に光を照射する光源と、
前記マイクロ流路チップにおける測定領域を含む領域の画像を撮像する撮像手段と、
この撮像手段によって取得された画像データに基づいて前記特定の成分の濃度を算出する機能を有する制御機構と
を備えてなることを特徴とする。
【発明の効果】
【００１１】
本発明のマイクロ流路チップによれば、第二流路は、第一流路を流通する検体から特定の成分を分離することが可能な幅を有するため、外部から遠心力などの運動学的作用を加えることなしに、検体から特定の成分を分離することができる。しかも、第二流路によって分離されて測定部に流入される特定の成分を、くさび状空間による毛細管力によって当該くさび状空間の狭小方向に集中させることができるので、必要量の特定の成分が測定部に充填された状態を短時間で得ることができる。
【００１２】
上記のマイクロ流路チップを用いた本発明の検体濃度測定装置によれば、マイクロ流路チップにおいて検体から分離される必要量の特定の成分を効率よく測定領域に貯留（充填）させることができるので、高い検査効率を得ることができる。また、光源からの光が照射されるマイクロ流路チップの測定領域は、厚みが一定の大きさとされているため、光路長を一定にすることができて特定の成分の濃度を高い信頼性で測定することができる。
【図面の簡単な説明】
【００１３】
【図１】本発明のマイクロ流路チップの一例における構成を示す平面図である。
【図２】図１における二点鎖線で囲まれた領域を示す説明図であり、（ａ）は平面図、（ｂ）は側面図である。
【図３】図２（ａ）におけるＡ−Ａ断面端面図である。
【図４】図２（ａ）におけるＢ−Ｂ断面端面図である。
【図５】測定部の空間形状を概略的に示す説明図であって、（ａ）斜視図、（ｂ）ｚ方向から見た平面図、（ｃ）定容積空間のｙｚ平面による断面図、（ｄ）ｙ方向から見た側面図である。
【図６】検体から分離された特定の成分が測定部に充填されてゆく状態を概略的に示す説明図である。
【図７】本発明のマイクロ流路チップの他の例における要部の構成を示す平面図である。
【図８】本発明のマイクロ流路チップのさらに他の例における構成を示す平面図である。
【図９】本発明の検体濃度測定装置の一例における構成を概略的に示す説明図である。
【図１０】本発明の検体濃度測定装置の他の例における構成を概略的に示す説明図である。
【図１１】実施例１および比較例１において作製した各々のマイクロ流路チップについての、試験用流体の測定部に対する貯留長の経時的変化を示す図である。
【発明を実施するための形態】
【００１４】
以下、本発明のマイクロ流路チップの実施の形態について説明する。
図１は、本発明のマイクロ流路チップの一例における構成を示す平面図である。図２は、図１における二点鎖線で囲まれた領域を示す説明図であり、（ａ）は平面図、（ｂ）は側面図である。図３は、図２（ａ）におけるＡ−Ａ断面端面図、図４は、図２（ａ）におけるＢ−Ｂ断面端面図である。
このマイクロ流路チップ１０は、液状の検体を流通させるための第一流路２０と、第一流路２０を流通される検体から特定の成分を分離抽出するための複数の第二流路２５と、検体から分離された特定の成分が充填される測定部３０とを内部に有する板状体よりなるチップ基体１１を有する。
【００１５】
図示の例では、チップ基体１１は、第一基板１２と第二基板１５とが接合されて構成されており、第一流路２０、第２流路２５および測定部３０は、チップ基体１１の厚み方向に垂直な平面に沿って二次元的に形成されている。
測定部３０は、チップ基体１１の厚み方向に垂直な面方向の一方向に伸びる状態で形成されており、第三流路２７を介して第二排出部２８に接続されている。
第一流路２０は、測定部３０を挟んだ両側の位置において測定部３０に沿って伸びる直線状流路部分２０ａ，２０ｂを有している。第一流路２０における検体流通方向の上流側端は、検体導入部２１から導入された検体を貯留する検体貯留部２２に接続されている。第一流路２０における検体流通方向の下流側端は、第一排出部２３に接続されている。
複数の第二流路２５の各々は、第一流路２０から分岐して当該第一流路２０に対して垂直方向に伸びるよう形成されている。第二流路２５における検体流通方向の上流側端は、第一流路２０における直線状流路部分２０ａ，２０ｂに連通し、検体流通方向の下流側端が測定部３０を構成する空間に連通している。図示の例では、複数の第二流路２５の各々は、測定部３０の当該測定部３０が伸びる方向の全域にわたって等間隔で離間して配列された状態で形成されている。
第一基板１２および第二基板１５の各々の厚みは、特に限定されるものではないが、例えば０．１ｍｍ以上５．０ｍｍ以下である。
【００１６】
図示の例では、第一流路２０は、第一基板１２に形成された第一流路用溝１３ａの内壁面と、第二基板１５とによって区画されることにより形成されている。また、第二流路２５は、第二基板１５に形成された第二流路用溝１６の内壁面と、第一基板１２とによって区画されることにより形成されている。また、測定部３０は、第一基板１２に形成された測定部用凹所１３ｂの内壁面と、第二基板１５とによって区画されることにより形成されている。なお、第一流路用溝１３ａ、第二流路用溝１６および測定部用凹所１３ｂの全てが、第一基板１２および第二基板１５のいずれか一方に形成されていてもよい。
第一流路２０、第二流路２５および測定部３０の各々の内壁面には、親水化処理が施されていることが好ましい。具体的には、第一流路２０、第二流路２５および測定部３０の各々の内壁面における水の接触角が９０°未満であることが好ましく、より好ましくは５０°以下である。
【００１７】
第一流路２０は、液状の検体（例えば血液）を流通させることが可能な幅を有する。本発明において、流路の「幅」とは、流路における当該流路が伸びる方向に垂直な断面において、当該流路の最も小さい幅を意味する。図示の例の第一流路２０および第二流路２５においては、マイクロ流路チップ１０の厚み方向の幅が最も小さい幅である。
このような第一流路２０の幅は、１０μｍ以上１０００μｍ以下であることが好ましく、より好ましくは５０μｍ以上１００μｍ以下である。第一流路２０の幅が過小である場合には、第一流路２０において、流路抵抗が大きくなることによって検体の流量が低下し、第二流路２５への特定の成分（例えば血漿成分）の供給量が不足する虞がある。一方、第一流路２０の幅が過大である場合には、要求される検体の量が増大する虞がある。また毛細管力が小さくなるため、第一流路２０を流れる検体の流速が小さくなり、特定の成分が測定部３０に到達するのに相当に長い時間を要する虞がある。
また、第一流路２０の上流側端から第二流路２５との分岐点までの長さは、特に限定されるものではないが、例えば１０ｍｍ以上１００ｍｍ以下である。
【００１８】
第二流路２５は、第一流路２０を流通する検体（例えば血液）から特定の成分（例えば血漿成分）を分離することが可能な幅を有する。
このような第二流路２５の幅は、０．１μｍ以上５μｍ以下であることが好ましく、より好ましくは１．０μｍ以上３．０μｍ以下である。第二流路２５の幅が過小である場合には、測定部３０に供給することができる特定の成分の量が少なくなり、特定の成分の抽出に相当に長い時間を要する虞がある。一方、第二流路２５の幅が過大である場合には、検体中における特定の成分以外の成分（例えば赤血球などの血球成分）が混入してしまい分離機能を示さない虞がある。
また、第二流路２５の長さは、特に限定されるものではないが、例えば０．１ｍｍ以上１ｍｍ以下である。
また、第二流路２５の数は、例えば１００本以上１００００本以下である。
【００１９】
測定部３０は、当該測定部３０を形成する空間の少なくとも一部が、一方向に向かうに従って徐々に隙間が小さくなるくさび状空間により形成されている。
【００２０】
図示の例では、測定部３０における当該測定部３０が伸びる方向の一端部分がくさび状空間により形成されている。すなわち、測定部３０は、図５にも示すように、くさび状空間３５と、くさび状空間３５に連続する定容積空間３１とにより構成されている。
以下においては、くさび状空間３５（測定部３０）が伸びる方向を「ｘ方向」、チップ基体１１の厚み方向を「ｚ方向」とするｘｙｚ直交座標を定義して、測定部３０の空間形状について具体的に説明する。
【００２１】
測定部３０における定容積空間３１は、ｘ方向においてほぼ同一の空間形状を有しており、ｙｚ断面の断面形状が矩形状とされている。定容積空間３１のｙｚ断面において表わされる連続する２つの定容積空間形成面がなす角γは、いずれも例えば４５°以上９０°以下である。
図示の例では、定容積空間３１は、各々ｘｙ平面に沿って伸びる上底面３０ａおよび下底面３０ｂと、下底面３０ｂに対して傾斜する一対の定容積空間形成面３２ａ，３２ｂとにより形成されており、ｙｚ断面における断面形状が台形状とされた空間形状を有する。そして、定容積空間３１のｙｚ断面において表わされるｙ方向において互いに対向する一対の定容積空間形成面３２ａ，３２ｂがｘｙ平面に沿った下底面３０ｂに対してなす角γ１，γ２が、例えば４５°以上９０°以下とされている。γ１，γ２は、互いに同一の大きさであっても異なる大きさであってもよい。
【００２２】
くさび状空間３５は、ｙ方向からの平面視にて表わされるｚ方向において互いに対向する一対のくさび状空間形成面がくさび状をなす部分を有すると共に、ｚ方向からの平面視にて表わされるｙ方向において互いに対向する一対のくさび状空間形成面がくさび状をなす部分を有する空間形状とされていることが好ましい。
具体的には、ｙ方向からの平面視にて表わされる一対のくさび状空間形成面がなす角（以下、「くさび状空間の先端傾斜角」という。）をαとしたとき、くさび状空間３５は、α＜γ１、α＜γ２の関係を満足する空間形状を有することが好ましい。また、ｚ方向からの平面視にて表わされる一対のくさび状空間形成面がなす角（以下、「くさび状空間の開き角」という。）をβとしたとき、くさび状空間３５は、β＜γ１、β＜γ２の関係を満足する空間形状を有する空間形状を有することが好ましい。
【００２３】
図示の例では、くさび状空間３５は、ｘｙ平面に沿った上底面３０ａおよび下底面３０ｂと、ｘ方向一端側に向かって互いに接近する、下底面３０ｂに対して傾斜する一対のくさび状空間形成面３６ａ，３６ｂとによって形成されている。
そして、図５（ｄ）に示すように、ｙ方向からの平面視にて表わされる一対のくさび状空間形成面３６ａ，３６ｂの稜線Ｃと下底面３０ｂとがなすくさび状空間３５の先端傾斜角αが、定容積空間形成面３２ａ，３２ｂの下底面３０ｂに対する傾斜角γ１、γ２より小さい状態とされている。また、図５（ｂ）に示すように、ｚ方向からの平面視にて表わされる一対のくさび状空間形成面３６ａ，３６ｂがなすくさび状空間３５の開き角βが、定容積空間形成面３２ａ，３２ｂの下底面３０ｂに対する傾斜角γ１、γ２より小さい状態とされている。
なお、くさび状空間３５の空間形状は、例えば四角錐状であってもよい。
【００２４】
くさび状空間３５の開き角αは、例えば１５°以上４５°以下であることが好ましい。また、くさび状空間３５の先端傾斜角βは、例えば５°以上４５°以下であることが好ましい。
くさび状空間３５による毛細管力Ｐは、表面張力をＦ、液体の接触角をθ、液面の曲率半径をＲとしたとき、Ｐ＝２Ｆｃｏｓα＋（θ／Ｒ）、もしくは、Ｐ＝２Ｆｃｏｓβ＋（θ／Ｒ）により算出される。従って、くさび状空間の開き角αの大きさ、もしくは、くさび状空間の先端傾斜角βの大きさによって毛細管力Ｐが決定されることとなる。
くさび状空間３５が上記のような空間形状を有することにより、第二流路２５によって分離されて測定部３０に流入される特定の成分を確実にくさび状空間３５の狭小方向に優先的に貯留させることができる。
【００２５】
また、くさび状空間３５は、ｙ方向またはｚ方向における寸法が一定の大きさとされた測定領域を有する構成とされていることが好ましい。
図示の例では、ｚ方向における寸法（厚み）が一定の大きさとされた測定領域３８がくさび状空間３５におけるｘ方向他端側部分に形成されている。
このような構成とされていることにより、後述する特定の成分の吸光度に基づく濃度測定において、光路長を一定の大きさとすることができるため、検体における特定の成分について信頼性の高い濃度測定を行うことができる。
【００２６】
以上において、測定部３０の定容積空間３１およびくさび状空間３５の測定領域３８におけるｚ方向の寸法Ｄは、例えば１０μｍ以上１０００μｍ以下であることが好ましく、より好ましくは１００μｍ以上５００μｍ以下である。当該寸法Ｄが過小である場合には、後述する吸光度測定において必要とされる大きさの光路長を確保することができないため、特定の成分の濃度測定を行うことができなくなる。一方、当該寸法Ｄが過大である場合には、要求される検体の量が増大する虞がある。また毛細管力が小さくなるため、特定の成分が測定部３０に到達するのに相当に長い時間を要する虞がある。
また、測定部３０の定容積空間３１における面方向（ｙ方向）の寸法Ｗ１は、１００μｍｍ以上１０００μｍ以下であることが好ましい。
【００２７】
〈チップ基体の構成材料〉
チップ基体１１（第一基板１２および第二基板１５）を構成する材料としては、後述する検体濃度測定装置における光源部からの光を透過し得るもの、例えば樹脂材料を用いることができる。
樹脂材料としては、例えばアクリル樹脂、ポリスチレン樹脂、ＣＯＰ樹脂（シクロオレフィンポリマー樹脂）などを用いることができるが、以下に示す樹脂組成物を用いることが好ましい。
【００２８】
チップ基体１１の構成材料として用いられる樹脂組成物は、荷重たわみ温度が４０℃以上１００℃以下、ガラス転移温度が−４０℃以上−２０℃以下であるものであることが好ましい。
ここで、樹脂組成物の荷重たわみ温度およびガラス転移温度は、ＪＩＳ  Ｋ７１９１およびＪＩＳ  Ｋ７１２１に規定される方法で測定されるものをいう。
【００２９】
このような樹脂組成物としては、ポリプロピレン系樹脂と、ポリプロピレン系樹脂に相溶しないポリマーブロックＸ（以下、単に「ポリマーブロックＸ」という。）および共役ジエンによるエラストマー性のポリマーブロックＹ（以下、単に「ポリマーブロックＹ」という。）よりなるブロックコポリマー（以下、「特定のブロックコポリマー」という。）の水素添加誘導体（以下、「特定の水素添加誘導体」という。）とを含有してなる、自己融着性を示す樹脂組成物（以下、「特定の樹脂組成物」という。）を用いることが好ましい。
【００３０】
〈ポリプロピレン系樹脂〉
ポリプロピレン系樹脂としては、プロピレンのホモポリマーや、プロピレンと、エチレン、またはブテン−１、ヘキセン−１などのプロピレン以外のα―オレフィンとのランダムコポリマーを用いることができる。具体的には例えば、市販の「マイクロレシコ」（登録商標）（株式会社リッチェル製）などを用いることができる。
【００３１】
〈特定のブロックコポリマー〉
特定のブロックコポリマーは、それぞれ１つ以上、好ましくは１つ以上５つ以下のポリマーブロックＸおよびポリマーブロックＹを有するものであればよく、具体的な構造は、（Ｘ−Ｙ）n （但し、ｎ＝１〜５）で表される構造、Ｘ−Ｙ−Ｘで表される構造、Ｙ−Ｘ−Ｙで表される構造などのいずれであってもよい。
【００３２】
〈ポリマーブロックＸ〉
特定のブロックコポリマーにおいて、ポリマーブロックＸとしては、ポリプロピレン系樹脂に相溶しないものであれば特に限定されず、例えばビニル芳香族モノマー（例えばスチレン）、エチレンまたはメタクリレート（例えばメチルメタクリレート）等を重合して得られるポリマーブロックを用いることができる。具体的なポリマーブロックＸの例としては、ポリスチレン系のものや、ポリオレフィン系のものが挙げられる。
【００３３】
ポリスチレン系のポリマーブロックＸの例としては、スチレン、α−メチルスチレン、ο−メチルスチレン、ｍ−メチルスチレン、ｐ−メチルスチレン、２，４−ジメチルスチレン、ビニルナフタレン、ビニルアントラセンから選択された１種または２種以上のビニル芳香族化合物を重合して得られるポリマーブロックが挙げられる。
【００３４】
また、ポリオレフィン系のポリマーブロックＸの他の例としては、エチレンと炭素数３〜１０のα−オレフィンとを共重合して得られるポリマーブロックが挙げられる。このポリマーブロックには、非共役ジエンが共役重合されていてもよい。
前記α−オレフィンの具体例としては、プロピレン、１−ブテン、３−メチル−１−ブテン、１−ペンテン、４−メチル−１−ペンテン、１−ヘキセン、１−ペンテン、１−オクテン、１−デセンなどが挙げられる。
前記非共役ジエンの具体例としては、１，４−ヘキサジエン、５−メチル−１，５−ヘキサジエン、１，４−オクタジエン、シクロヘキサジエン、シクロオクタジエン、シクロペンタジエン、５−エチリデン−２−ノルボネル、５−ブチリデン−２−ノルボネル、２−イソプロペニル−５−ネルボルネンなどが挙げられる。
ポリオレフィン系のポリマーブロックＸの具体例としては、エチレン−プロピレン共重合体ブロック、エチレン−１−ブテン共重合体ブロック、エチレン−１−オクテン共重合体ブロック、エチレン−プロピレン−１，４−ヘキサジエン共重合体ブロック、エチレン−プロピレン−５−エチリデン−２−ノルボルネン共重合体ブロックなどが挙げられる。
【００３５】
特定のブロックコポリマーにおいて、ポリマーブロックＸの含有率は、例えば１０質量％以上２０質量％以下である。
【００３６】
〈ポリマーブロックＹ〉
ポリマーブロックＹとしては、水素添加前のものとして、２−ブテン−１，４−ジイル基およびビニルエチレン基からなる群から選択される少なくとも１種の基よりなる構造単位によって構成されるポリブタジエンブロック、２−メチル−２−ブテン−１，４−ジイル基、イソプロペニルエチレン基および１−メチル−１−ビニルエチレン基からなる群から選択される少なくとも１種の基よりなる構造単位によって構成されるポリイソプレンブロックが挙げられる。
更に、水素添加前のポリマーブロックＹとして、イソプレン単位が２−メチル−２−ブテン−１，４−ジイル基、イソプロペニルエチレン基および１−メチル−１−ビニルエチレン基からなる群から選択される少なくとも１種の基よりなる構造単位であり、ブタジエン単位が２−ブテン−１，４−ジイル基および／またはビニルエチレン基よりなる構造単位によって構成されるイソプレン／ブタジエン共重合体ブロックなどが挙げられる。イソプレン／ブタジエン共重合体ブロックにおけるイソプレンに由来の構造単位とブタジエンに由来の構造単位との配置は、ランダム状、ブロック状、テーパブロック状のいずれの形態であってもよい。
【００３７】
また、ポリマーブロックＹは、ビニル芳香族化合物が共重合されてなるものであってもよい。このようなポリマーブロックＹとしては、ビニル芳香族化合物に由来の単位が、スチレン、α−メチルスチレン、ｏ−メチルスチレン、ｍ−メチルスチレン、ｐ−メチルスチレン、２，４−ジメチルスチレン、ビニルナフタレン、ビニルアントラセンのうちから選択された１種のモノマー単位であり、共役ジエン単位が、２−ブテン１，４−ジイル基および／またはビニルエチレン基である共重合体ブロックを用いることができる。また、ビニル芳香族化合物に由来の構造単位と共役ジエン由来の構造単位の配置は、ランダム状、ブロック状、テーパブロック状のいずれの形態であってもよい。
【００３８】
〈特定の水素添加誘導体〉
特定の水素添加誘導体は、上記の特定のブロックコポリマーを水素添加することによって得られる。特定の水素添加誘導体における水素添加の状態は、部分水素添加であっても、また完全水素添加であってもよい。
このような特定の水素添加誘導体としては、水素添加する前の特定のブロックコポリマーにおいて、ポリマーブロックＸがポリスチレンブロックであり、ポリマーブロックＹが、１，２結合、３，４結合および／または１，４結合のポリイソプレンブロックであるもの、或いは、ポリマーブロックＸがポリスチレンブロックであり、ポリマーブロックＹが、１，２結合および／または１，４結合のポリブタジエンブロックであるものが、容易に入手可能である。
また、ポリスチレンブロックは、ポリプロピレン系樹脂との相溶しにくいため、ポリスチレンブロックの割合が高い特定の水素添加誘導体を用いる場合には、特定の樹脂組成物の調製（特定の水素添加誘導体とポリプロピレン系樹脂と混合）に長い時間を要するので、マスターバッチ化することなどによって、予め十分に混合しておくことが好ましい。
【００３９】
〈特定の樹脂組成物の調製〉
特定の樹脂組成物は、ポリプロピレン系樹脂と特定の水素添加誘導体とを、加熱溶融した状態で混合（混練）することによって得られる。このような特定の樹脂組成物においては、ポリプロピレン系樹脂とポリマーブロックＸとは、互いに相溶していない状態である。
【００４０】
ここで、特定の樹脂組成物においてポリプロピレン系樹脂とポリマーブロックＸとが相溶しているか否かは、以下のようにして確認することができる。
ポリマーブロックＸがポリプロピレン系樹脂に相溶しないものである場合には、特定の樹脂組成物において、ポリマーブロックＸはその慣性半径程度のサイズを有するミクロドメインを形成する。このようなミクロドメインは透過型電子顕微鏡で観察したり、小角Ｘ線散乱により孤立ドメインの散乱パターンを測定・解析したりすることにより確認することができる。
また、ポリマーブロックＸがポリプロピレン系樹脂に相溶しないものである場合には、ポリマーブロックＸのガラス転移温度は、ポリプロピレン系樹脂と混合されても変化することがない。このようなポリマーブロックＸのガラス転移温度の変化の有無は、示差走査熱量測定（ＤＳＣ）や動的粘弾性測定などにより確認することができる。
【００４１】
ポリマーブロックＹがポリプロピレン系樹脂に相溶するものである場合には、ポリマーブロックＹのガラス転移温度およびポリプロピレンのガラス転移温度の各々が変化して、これらの間の温度に新たなガラス転移温度が現れる。
このようなガラス転移温度の変化の有無は、動的粘弾性測定などにより確認することができる。
【００４２】
ポリマーブロックＸおよびポリマーブロックの両方がポリプロピレン系樹脂に相溶しない場合には、特定の樹脂組成物において、形態的には特定のブロックコポリマーによるポリマー相（ポリマーブロックＸの相とポリマーブロックＹの相とからなるミクロドメイン構造による相）と、ポリプロピレン系樹脂によるポリマー相とに分離する。一方、ポリマーブロックＹがポリプロピレン系樹脂に相溶するものである場合には、特定の樹脂組成物において、ポリマーブロックＸのミクロドメイン同士の間隔が大きくなったり、ポリマーブロックＸのミクロドメインがポリプロピレン系樹脂中に均一に分散したりするようになる。
このようなポリマーブロックＹがポリプロピレン系樹脂に相溶するときの形態的変化は、透過型電子顕微鏡によりミクロドメインの相互位置を観察したり、小角Ｘ線散乱によりミクロドメイン間距離を解析したりすることにより確認することができる。
【００４３】
特定の樹脂組成物において、特定の水素添加誘導体の割合は、ポリプロピレン系樹脂１００質量部に対して４０質量部以上５０質量部以下となる割合であることが好ましい。
【００４４】
特定の樹脂組成物には、必要に応じて種々の添加剤、例えばポリプロピレン系樹脂用の造核剤などが含有されていてもよい。かかる造核剤としては、核化効果によって物性や透明性を向上させる金属塩型（リン酸金属塩、カルボン酸金属塩）の造核剤や、ネットワーク形成によって透明性を付与するベンジリデンソルビトール型の造核剤を用いることができる。ベンジリデンソルビトール型の造核剤は、ベンズアルデヒドとソルビトールとの縮合物よりなり、分子中に水酸基を有するものである。
【００４５】
〈マイクロ流路チップの製造方法〉
上記のマイクロ流路チップ１０は、例えば以下の第１の方法または第２の方法によって製造することができる。
【００４６】
《第１の方法》
先ず、第一流路２０を形成するための第一流路用溝１３ａおよび測定部３０を形成するための測定部用凹所１３ｂが形成された第一基板１２、並びに、第二流路２５を形成するための第二流路用溝１６が形成された第二基板１５を作製する。
第一基板１２および第二基板１５は、例えば、マイクロ流路チップ製造用金型を製造し、このマイクロ流路チップ製造用金型を用い、例えば上記の樹脂材料を射出成形法によって成形することにより、作製することができる。マイクロ流路チップ製造用金型は、例えば、シリコンウエハを異方性エッチング加工することにより、もしくは感光性樹脂の傾斜露光や多段プロセスにより得られたものに対して電鋳処理を行うことにより製造することができる。また、第一基板１２および第二基板１５は、基板材料に対して機械加工を行うことにより第一流路用溝１３ａ、測定部用凹所１３ｂ、第二流路用溝１６を形成することにより作製することもできる。
【００４７】
第１の方法においては、第一基板１２における第一流路用溝１３ａおよび測定部用凹所１３ｂの表面を含む接合面、並びに第二基板１５における第二流路用溝１６を含む接合面に対して、表面活性化処理を施すことが好ましい。表面活性化処理の方法としては、親水剤をコーティングする方法、真空紫外線を照射することによって表面処理する方法、プラズマによって表面処理する方法などを利用することができ、これらの中では、真空紫外線を照射することによって表面処理する方法が好ましい。このような表面活性化処理を行うことにより、第一基板１２と第二基板１５とをより強固に且つ短時間で接合することができる。
真空紫外線を照射することによって表面活性化処理を行う場合において、真空紫外線の照射条件の具体的な例を挙げると、紫外線光源としてキセノンガスを封入したエキシマランプを用い、波長１７２ｎｍの真空紫外線を照度３０ｍＷ／ｃｍ2 の条件で１０分間照射する。
【００４８】
その後、第二基板１５の接合面に、第一基板１２を位置合わせした状態で重ね合わせて接触させる。
そして、第一基板１２および第二基板１５を同時に加熱することにより、第一基板１２と第二基板１５とを自己融着性を利用して接合する。
【００４９】
また、第一基板１２および第二基板１５の加熱温度は、第一基板１２および第二基板１５の構成材料の融点よりも低い温度で、かつ第一基板１２および第二基板１５の構成材料のガラス転移温度よりも高い温度とされる。特に、加熱温度は、当該構成材料の融点よりも８０℃以上低い温度で、かつ当該構成材料のガラス転移温度よりも６０℃以上高い温度の範囲から選択されることが好ましい。
第一基板１２および第二基板１５の具体的な加熱温度を示すと、例えば５０℃以上７０℃以下である。また、第一基板１２および第二基板１５の具体的な加熱時間を示すと、加熱温度が６０℃である場合において例えば１時間以上２時間以下である。
【００５０】
《第２の方法》
先ず、第１の方法と同様にして、第一基板１２および第二基板１５を作製する。
次いで、第一基板１２における第一流路用溝１３ａおよび測定部用凹所１３ｂの表面を含む接合面、並びに第二基板１５における第二流路用溝１６を含む接合面に対して、真空紫外線を照射することによって表面活性化処理が施される。
表面活性化処理における真空紫外線の照射条件の具体的な例を挙げると、紫外線光源としてキセノンガスを封入したエキシマランプを用い、波長１７２ｎｍの真空紫外線を照度３０ｍＷ／ｃｍ2 の条件で１０分間照射する。
【００５１】
そして、第二基板１５の接合面に、第一基板１２を位置合わせした状態で重ね合わせて接触させ、加熱することなしに常温で放置することにより、第一基板１２と第二基板１５とを接合する。
【００５２】
このような第１の方法または第２の方法によれば、第一基板１２および第二基板１５を、これらの構成材料の融点よりも低い温度で接合するため、接合する際の加熱によって、第一基板１２および第二基板１５が変形することがない。従って、製造すべきマイクロ流路チップが、例えば幅５μｍ以下の微細な第二流路２５を有するものであっても、所期のマイクロ流路チップ１０を確実に製造することができる。
また、第一基板１２および第二基板１５を、これらの構成材料の融点未満の温度で接合可能であるため、第一基板１２および第二基板１５を接合する際に、第一基板１２および第二基板１５を比較的低温の加熱で接合することができる。このため、第二基板１５に形成された微細な第二流路用溝１６が熱変形して潰れることが防止される。
【００５３】
上記のマイクロ流路チップ１０においては、液状の検体例えば血液が検体導入部２１から導入されることにより、当該検体が検体貯留部２２に貯留される。検体貯留部２２に貯留された検体は、毛細管現象によって第一流路２０を流通し、第二流路２５との分岐点に到達する。そして、この分岐点においては、検体中における第二流路２５の幅より大きいサイズの成分、例えば血球成分は、第二流路２５に進入することができないため、第一流路２０を下流側に向かって流通する。一方、検体中における第二流路２５の幅より小さいサイズの特定の成分、例えば血漿成分は、第二流路２５に進入することができるため、第二流路２５を流通し、測定部３０に流入する。図６に示すように、測定部３０に流入した特定の成分ＰＬは、測定部３０におけるくさび状空間３５による毛細管力によって、チップ基体１１における測定部３０を形成する内壁面に沿ってくさび状空間３５の狭小方向に流れる。このため、特定の成分ＰＬはくさび状空間３５内に集中してくさび状空間３５から優先的に充填されることとなる。
【００５４】
以上のように、上記のマイクロ流路チップ１０によれば、基本的には、第二流路２５は、第一流路２０を流通する検体から特定の成分を分離することが可能な幅を有するため、外部から遠心力などの運動学的作用を加えることなしに、微量の検体から特定の成分を分離することができる。
しかも、上記のマイクロ流路チップ１０によれば、第二流路２５によって分離されて測定部３０に流入される特定の成分を、くさび状空間３５による毛細管力によって当該くさび状空間３５の狭小方向に集中させることができる。すなわち、測定部３０の空間形状が例えば角柱状である構成のものにおいては、測定部３０に流入した特定の成分は、連続する２つの測定部形成面（例えば底面と側壁面）の境界部分において生じる毛細管力によって、測定部形成面近傍位置において保持される。つまり、特定の成分は、測定部形成面近傍位置から徐々に充填されていくこととなるため、例えば濃度測定において必要とされる量の特定成分を充填するために、特定の成分の抽出量が膨大となり、長時間の時間を要する。また、特定の成分は、測定部形成面を伝って排出部（第二排出部２８）にも到達し、測定部３０内の空気の排出を阻害する。
然るに、測定部３０を形成する空間の一部がくさび状空間３５により形成されていることにより、上記のマイクロ流路チップ１０によれば、必要量の特定の成分を効率よく検体から抽出することができ、後述する吸光度に基づく濃度測定において必要とされる光路長（測定部３０に充填された特定の成分の厚みが例えば１００μｍ）が確保される状態を短時間で得ることができる。
【００５５】
以上、本発明のマイクロ流路チップの実施の形態について説明したが、本発明は上記の実施形態に限定されるものではなく、種々の変更を加えることができる。
例えば、上記のマイクロ流路チップにおいては、第二流路は、測定部における当該測定部が伸びる方向の全域にわたって形成されている必要はなく、例えば図７（ａ）および図７（ｂ）に示すように、測定部３０における定容積空間３１の部分のみに形成された構成とされていてもよい。このような構成によっても、測定部３０に流入した特定の成分をくさび状空間３５の狭小方向に集中させることができる。また、チップ基体におけるくさび状空間を形成する内壁面（くさび状空間形成面）は、平坦面である必要はなく、図７（ｂ）に示すように、内面形状が階段状に形成されていてもよい。さらにまた、図８に示すように、第二流路２５は、面方向における測定部３０の一側のみに形成された構成、すなわち、第一流路２０における検体流通方向上流側に位置される直線状流路部分２０ａと測定部３０とを連通させる第二流路２５のみが形成された構成とされていてもよい。
さらにまた、上記のマイクロ流路チップにおいては、チップ基体の面方向に伸びる測定部の一端部分にくさび状空間が形成された構成とされているが、測定部の空間形状は、特に限定されるものではなく、くさび状空間は、例えば、面方向のいずれの方向に伸びるよう形成されていてもよく、また厚み方向に伸びるよう形成されていてもよい。
さらにまた、チップ基体は、複数の基板が接合されて構成され、第一流路、第２流路および測定部が三次元的に形成された構成とされていてもよい。
【００５６】
以下、上記のマイクロ流路チップを備えてなる本発明の検体濃度測定装置について説明する。
図９は、本発明の検体濃度測定装置の一例における構成を示す説明図である。
この検体濃度測定装置は、例えば、液状の検体である血液から検査対象成分であるビリルビンを含む血漿を分離してビリルビンの濃度を測定するものである。
【００５７】
図９に示す検査対象測定装置は、図１乃至図５に示す構成のマイクロ流路チップ１０と、このマイクロ流路チップ１０の測定部３０における測定領域３８に対して当該マイクロ流路チップ１０の厚み方向に光を照射する光源４０と、マイクロ流路チップ１０における測定部３０を含む領域の画像を撮像する撮像手段５０と、撮像手段５０によって撮像された画像に係る画像データに基づいて検査対象成分の濃度を算出する機能を有する制御機構６０とを備えてなる。
【００５８】
光源４０とマイクロ流路チップ１０との間の光路上には、透過する光の波長域を制限する光学フィルタ４５が配置されている。光学フィルタ４５とマイクロ流路チップ１０との間には、入射される光を平行化するレンズ４８が配置されている。マイクロ流路チップ１０と撮像手段５０との間には、光源４０から放射された光よりなる光像を拡大して撮像手段５０に投影するレンズ５１が配置されている。また、光源４０は、当該光源４０に電気を供給する電源４１に電気的に接続されている。この電源４１は、制御機構６０に電気的に接続されている。
【００５９】
光源４０としては、検査対象成分の濃度を測定するために必要な波長域を含む光を放射するものが用いられている。この例においては、血漿に含まれるビリルビンの濃度を測定するために必要な４５５ｎｍ近傍の波長域および５７５ｎｍ近傍の波長域を含む光を放射する光源４０が用いられている。
このような光源４０の具体例としては、互いに異なる波長域の光を放射する２種のＬＥＤ素子、例えばピーク発光波長４５０ｎｍのＬＥＤ素子とピーク発光波長５７０ｎｍのＬＥＤ素子とにより構成されたものが挙げられる。
【００６０】
光学フィルタ４５としては、透過する光の波長域を、検査対象成分の濃度を測定するために必要な波長域に制限するバンドパスフィルタが用いられている。この例においては、光学フィルタ４５として、透過する光の波長域を、血漿に含まれるビリルビンの濃度を測定するために必要な４５５ｎｍ近傍の波長域および５７５ｎｍ近傍の波長域に制限するマルチバンドパスフィルタが用いられている。光学フィルタ４５を透過する４５５ｎｍ近傍の波長域および５７５ｎｍ近傍の波長域のバンド幅は、それぞれ半値幅で１０ｎｍ以上１５ｎｍ以下である。
【００６１】
撮像手段５０としては、マイクロ流路チップ１０における測定部３０を含む領域を撮像視野とする撮像素子を具備したものが用いられる。具体的には、撮像手段５０の撮像素子の撮像視野は、マイクロ流路チップ１０の撮像素子と対向する他面における、測定部３０が位置する領域およびその周辺領域である。図示の例では、測定部３０と共に第一流路２０における直線状流路部分２０ａ，２０ｂの一部および複数の第二流路２５の各々を含む領域が撮像素子の撮像視野とされており、この撮像視野を構成する領域の全域に、光源４０からの光が放射される。
撮像手段５０としては、例えばＣＭＯＳ撮像素子を具備したＣＭＯＳカメラが用いられている。このＣＭＯＳカメラのＣＭＯＳ撮像素子の撮像視野、すなわちＣＭＯＳカメラにおいて得られる画像サイズは、６４０×４８０ピクセル（マイクロ流路チップ１０における縦横寸法１０９０×８２０μｍの領域に相当）である。
レンズ５１としては、例えばアクロマートレンズが用いられており、当該レンズ５１による光像の拡大倍率は、例えば５倍である。
【００６２】
制御機構６０は、撮像手段５０の撮像素子によって撮像された画像に係る画像データを画像処理することによって、画像中の測定部３０の位置（画素位置）の輝度を測定して血漿成分の吸光度を算出する機能を有する。また、光源４０に電気を供給する電源４１を制御する機能を有する。
この例においては、撮像手段５０によって撮像された画像を画像処理することにより得られた画像データの青色の輝度値に基づいて波長４５５ｎｍにおける吸光度Ａ455 が算出されると共に、当該画像データの緑色の輝度値に基づいて波長５７５ｎｍにおける吸光度Ａ575 が算出される。ここで、吸光度Ａ455 は、波長４５５ｎｍにおけるビリルビンの吸光度および溶血ヘモグロビンの吸光度の和とみなすことができる。一方、Ａ575 は、波長５７５ｎｍにおける溶血ヘモグロビンの吸光度とみなすことができる。そして、波長５７５ｎｍにおける溶血ヘモグロビンの吸光度は、波長４５５ｎｍにおける溶血ヘモグロビンの吸光度に近似した値であることから、吸光度Ａ455 から吸光度Ａ575 を減じた値（Ａ455 −Ａ575 ）を、波長４５５ｎｍにおけるビリルビンの吸光度とみなすことができる。そして、吸光度と濃度とが比例関係にあること（ランベルト−ベールの法則）を利用して、予め取得した検量線とＡ455 −Ａ575 の値とから、ビリルビンの濃度が算出される。
【００６３】
このような検体濃度測定装置においては、上述したように、マイクロ流路チップ１０における測定部３０（くさび状空間３５）に、液状の検体（この例では血液）から分離された特定の成分（この例では検査対象成分であるビリルビンを含む血漿）が充填される。
そして、マイクロ流路チップ１０の測定部３０に特定の成分が充填された状態において、光源４０から放射された光が、光学フィルタ４５およびレンズ４８を介して、マイクロ流路チップ１０における測定領域３８に照射される。光学フィルタ４５を透過する光、すなわちマイクロ流路チップ１０における測定領域３８に照射される光の波長域は、当該光学フィルタ４５によって４５５ｎｍ近傍の波長域および５７５ｎｍ近傍の波長域に制限される。その後、マイクロ流路チップ１０における測定領域３８を透過した光による光像が、撮像手段５０によって撮像される。そして、撮像手段５０によって得られた画像データに基づいて検査対象成分であるビリルビンの濃度が演算される。
【００６４】
上記の検体濃度測定装置によれば、マイクロ流路チップ１０において検体から分離される必要量の特定の成分を、くさび状空間３５による毛細管力によって、効率よく測定部３０における測定領域３８に貯留（充填）させることができるので、高い検査効率を得ることができる。また、光源４０からの光が照射されるマイクロ流路チップ１０の測定領域３８は、厚みが一定の大きさとされているため、光路長を一定にすることができて特定の成分の濃度を高い信頼性で測定することができる。
【００６５】
本発明の検体濃度測定装置は、上記構成のものに限定されるものではなく、図１０に示されるように、例えばピーク発光波長４５０ｎｍの光を放射するＬＥＤ素子を備えた第一の光源４０ａと、例えばピーク発光波長５７０ｎｍの光を放射するＬＥＤ素子を備えた第二の光源４０ｂとが別個に設けられた構成とされていてもよい。この検体濃度測定装置においては、第一の光源４０ａは、マイクロ流路チップ１０における測定部３０に対向するよう配置され、第二の光源４０ｂは、第一の光源４０ａからの光の光路に対して垂直な方向に向いた状態で配置されている。第一の光源４０ａおよび第二の光源４０ｂは、電源４１に電気的に接続されている。第一の光源４０ａからの光の光路と第二の光源４０ｂからの光の光路との交点位置には、第一の光源４０ａからの光を透過すると共に第二の光源４０ｂからの光を反射するダイクロイックミラー４２が、第一の光源４０ａからの光の光路および第二の光源４０ｂからの光の光路の各々に対して４５°に傾斜した状態で配置されている。
【００６６】
第一の光源４０ａとダイクロイックミラー４２との間の光路上には、透過する光の波長域を制限する第一の光学フィルタ４６ａが配置されている。第一の光学フィルタ４６ａとダイクロイックミラー４２との間には、入射される光を平行化するレンズ４９ａが配置されている。第二の光源４０ｂとダイクロイックミラー４２との間の光路上には、透過する光の波長域を制限する第二の光学フィルタ４６ｂが配置されている。第二の光学フィルタ４６ｂとダイクロイックミラー４２との間には、入射される光を平行化するレンズ４９ｂが配置されている。図１０に示す検体濃度測定装置におけるその他の構成は、図９に示す検体濃度測定装置における構成と同様である。
【００６７】
この検体濃度測定装置においては、マイクロ流路チップ１０の測定部３０に対して、第一の光源４０ａから光を照射する動作および第二の光源４０ｂから光を照射する動作は、同時に行われてもよいが、いずれか一方の動作が行われた後、他方の動作が行われてもよい。
【実施例】
【００６８】
〈実施例１〉
（１）第一基板および第二基板の製造
ポリプロピレン樹脂（日本ポリプロ（株）社製「ノバック（Ｒ）ＰＰ」）５０質量部と、水添スチレン・イソプレン・ブタジエンブロック共重合物（（株）クラレ社製「ハイブラー７３１１」，ポリスチレンブロックの含有率＝１２質量％）５０質量部とを、加熱混練することにより、特定の樹脂組成物を調製した。得られた特定の樹脂組成物の融点は、１４２℃、荷重たわみ温度は、４３℃、ガラス転移温度は−３５℃であった。
次いで、調製した特定の樹脂組成物を射出成形することにより、表面に第一流路用溝および測定部用凹所が形成された第一基板、並びに表面に第二流路用溝が形成された第二基板を製造した。
得られた第一基板において、第一流路用溝は、検体導入部（２１）から第一排出部（２３）までの全長が５０ｍｍ（図１参照）、第一基板の厚み方向の幅（深さ）が１００μｍ、第一基板の面方向の幅が３００μｍである。
測定部用凹所は、図２乃至図４を参照すると、全長（複数の第二流路が形成される部分の長さ）が１５ｍｍ、くさび状空間（３５）の長さ（Ｌ１）が１ｍｍ、測定領域の長さ（Ｌ２）が０．５ｍｍである。また、定容積空間（３１）を形成する部分における第一基板の厚み方向の寸法（Ｄ）が１００μｍ、開口端面における第一基板の面方向の寸法（Ｗ１）が２００μｍ、定容積形成空間を形成する一対の定容積空間形成面（３２ａ，３２ｂ）が測定部用凹所の底面に対してなす角（γ１，γ２）は、８５°である。また、くさび状空間（３５）の先端傾斜角（α）が４５°、くさび状空間（３５）の開き角（β）が１１．４°、測定領域の長さ方向の一端位置での、開口端面における第一基板の面方向の寸法（Ｗ２）が２０μｍである。
また、得られた第二基板において、第二流路用溝は、長さが０．５ｍｍ、第二基板の厚み方向の幅（深さ）が２μｍ、第二基板の面方向の幅が５０μｍであり、第二流路用溝の数は３００である。隣接する第二流路用溝間の間隔は同一の大きさ（等間隔）である。
【００６９】
（２）第一基板および第二基板の表面活性化処理
得られた第一基板における第一流路用溝および測定部用凹所の表面を含む接合面、並びに第二基板における第二流路用溝を含む接合面に対して、真空紫外線を照射することによって、表面活性化処理を行った。表面活性化処理が施された表面について、水の接触角を測定したところ、４５°であった。
以上において、真空紫外線の照射による表面活性化処理は、紫外線光源としてキセノンガスを封入したエキシマランプを用い、波長１７２ｎｍの真空紫外線を照度３０ｍＷ／ｃｍ2 の条件で１０分間照射することにより行った。
【００７０】
（３）マイクロ流路チップの製造
第二基板の接合面上に、第一基板を位置合わせした状態で重ね合わせて接触させた。そして、第一基板および第二基板を６０℃で加熱することにより、第一基板と第二基板とを自己融着性を利用して接合し、以て、マイクロ流路チップを製造した。
得られたマイクロ流路チップにおいて、第一流路の上流側端から、当該第一流路の最も上流側において分岐した第二流路との分岐点までの長さは、５ｍｍである。
また、得られたマイクロ流路チップの第二流路を顕微鏡によって観察したところ、変形等の異常は認められなかった。
【００７１】
（４）試験
上記のマイクロ流路チップに、水を試験用流体として導入し、経過時間に対する測定部への試験用流体の充填量（貯留長）を調べた。結果を、図１１において曲線ａ（四角印のプロット）で示す。ここに、測定部における試験用流体の貯留長とは、くさび状空間と定容積空間との境界位置からの測定部の伸びる方向における長さをいう。
【００７２】
〈比較例１〉
長さ方向においてほぼ一定の空間形状を有する測定部用凹所（くさび状空間を有さず、定容積空間のみからなる測定部用凹所）を形成したことの他は、実施例１において作製したものと同一の構成を有する比較用の第一基板を作製した。この比較用の第一基板における測定部用凹所は、全長（複数の第二流路が形成される部分の長さ）が２０ｍｍ、第一基板の厚み方向の寸法が１００μｍ、開口端面における第一基板の面方向の寸法が２００μｍ、一対の測定部形成面が測定部用凹所の底面に対してなす角は、８５°である。
この比較用の第一基板を用いたことの他は、実施例１と同様にして、比較用のマイクロ流路チップを作製し、マイクロ流路チップに、水を試験用流体として導入し、経過時間に対する測定部への試験用流体の充填量（貯留長）を調べた。結果を図１１において曲線ｂ（丸印のプロット）で示す。
【００７３】
以上の結果より、実施例１に係るマイクロ流路チップによれば、試験用流体を効率よく測定部に充填することができることが確認された。従って、実際の検体濃度測定において必要とされる量の検査対象成分を、検体から短時間で抽出することができることが期待される。
【００７４】
また、実施例１において作製したマイクロ流路チップに、ヒトの血液５μＬを導入し、１０分間放置した後、マイクロ流路チップの測定部に充填された液体の分光吸収スペクトルを測定したところ、測定部に充填された液体は血漿成分であり、血液から血漿成分が分離されていることが確認された。
【符号の説明】
【００７５】
１０    マイクロ流路チップ
１１    チップ基体
１２    第一基板
１３ａ  第一流路用溝
１３ｂ  測定部用凹所
１５    第二基板
１６    第二流路用溝
２０    第一流路
２０ａ  直線状流路部分
２０ｂ  直線状流路部分
２１    検体導入部
２２    検体貯留部
２３    第一排出部
２５    第二流路
２７    第三流路
２８    第二排出部
３０    測定部
３０ａ  上底面
３０ｂ  下底面
３１    定容積空間
３２ａ  定容積空間形成面
３２ｂ  定容積空間形成面
３５    くさび状空間
３６ａ  くさび状空間形成面
３６ｂ  くさび状空間形成面
３８    測定領域
４０    光源
４０ａ  第一の光源
４０ｂ  第二の光源
４１    電源
４２    ダイクロイックミラー
４５    光学フィルタ
４６ａ  第一の光学フィルタ
４６ｂ  第二の光学フィルタ
４８    レンズ
４９ａ  レンズ
４９ｂ  レンズ
５０    撮像手段
５１    レンズ
６０    制御機構
Ｃ    稜線
ＰＬ    特定の成分
【図１】
0006729026.tif 000002
【図２】
0006729026.tif 000003
【図３】
0006729026.tif 000004
【図４】
0006729026.tif 000005
【図５】
0006729026.tif 000006
【図６】
0006729026.tif 000007
【図７】
0006729026.tif 000008
【図８】
0006729026.tif 000009
【図９】
0006729026.tif 000010
【図１０】
0006729026.tif 000011
【図１１】
0006729026.tif 000012